(57)【要約】【課題】ブラケットが箱体の上方に設けられた電気接続箱において、ブラケットを伝わる水による箱体の被水をより有効に防止することの出来る、新規な構造の電気接続箱を提供すること。【解決手段】ブラケット１４における車体パネルＰへの取付部３６の基端部に、四方が壁部４２，４４，４６，４８で囲まれて鉛直上方に開口する捕水凹所４０を設けると共に、該捕水凹所４０において前記車体パネルＰ側の後方壁部４２に排水孔５０を設け、更に該排水孔５０から前記車体パネルＰ側に突出する庇部５６を設けた。【選択図】図２
2014171302.tif 000002
【特許請求の範囲】
【請求項１】
箱体の上方に設けられたブラケットを介して該箱体が車体パネルに固定される電気接続箱において、
前記ブラケットには、前記車体パネルへの取付部が上方に延出して設けられていると共に、該取付部の基端部分には、四方が壁部で囲まれて鉛直上方に開口された捕水凹所が設けられており、前記壁部のうち前記車体パネル側に位置する後方壁部が上方に延出されることで前記取付部が形成されていると共に、前記後方壁部には排水孔が貫設されている一方、
前記ブラケットにおける前記車体パネル側の面には、前記捕水凹所の底面と連続して前記排水孔から前記車体パネル側に突出すると共に、前記箱体よりも前記車体パネル側に突出位置された庇部が設けられている
ことを特徴とする電気接続箱。
【請求項２】
前記捕水凹所における前記後方壁部と前記底面とを連結する補強リブが、前記排水孔上に設けられている
請求項１に記載の電気接続箱。
【請求項３】
前記捕水凹所の前記壁部を用いてクランプ取付部が形成されている
請求項１又は２に記載の電気接続箱。
【請求項４】
前記庇部の幅方向の両端縁部には、該庇部の突出方向の全長に亘る飛散防止壁が設けられている
請求項１〜３の何れか１項に記載の電気接続箱。
【請求項５】
前記捕水凹所の前記壁部のうち、前記後方壁部と連結する一対の側壁部が、前記取付部の上端縁部まで延出されている
請求項１〜４の何れか１項に記載の電気接続箱。
【請求項６】
前記箱体における前記車体パネル側の面には、該箱体からの突出寸法が相対的に小さい低背部品が装着される低背部品装着部と、該箱体からの突出寸法が相対的に大きい高背部品が装着される高背部品装着部とが形成されており、前記庇部が、前記車体パネルへの取付状態で少なくとも前記高背部品装着部の鉛直上方から外れた位置に設けられている
請求項１〜５の何れか１項に記載の電気接続箱。
【発明の詳細な説明】
【技術分野】
【０００１】
本発明は、自動車等の車両に設けられる電気接続箱に係り、特に、箱体の上方に設けられたブラケットを介して車体パネルに取り付けられる電気接続箱に関するものである。
【背景技術】
【０００２】
従来から、自動車等の車両には、ジャンクションボックスやリレーボックス等の電気接続箱が設けられている。これら電気接続箱は、箱体に一体又は別体として設けられたブラケットを介して、車体パネルに取り付けられるようになっている。
【０００３】
ところで、電気接続箱に設けられるブラケットは、車体内での配設位置や車体パネルの形状等に応じて、箱体の様々な位置に設けられる。例えば、特開２０１１−１５２８４６号公報（特許文献１）には、箱体の上方にブラケットが設けられた電気接続箱が開示されている。
【０００４】
ところが、箱体の上方にブラケットが設けられた電気接続箱においては、降雨や高圧洗浄等で車体内に浸入した水が車体パネルからブラケットに伝わり、箱体が被水するおそれがあった。特に、箱体が上方から被水すると、水が箱体を伝わる距離が長くなることから、箱体の内部に浸入したり、箱体の表面に装着されたリレーやヒューズ等の電気部品にかかるおそれが高くなる。
【０００５】
そこで、特許文献１には、ブラケットに箱体の上面から一段下がった段部を設けることにより、該段部から水を排出する構造が提案されている。しかし、このような構造では、車両の振動等により、水が段部を乗り越えて箱体に伝わるおそれがあった。また、段部に案内された水が箱体の側方に排出されることから、段部から落下した水が再び電気接続箱にかかるおそれがあり、更なる改善が必要であった。
【先行技術文献】
【特許文献】
【０００６】
【特許文献１】特開２０１１−１５２８４６号公報
【発明の概要】
【発明が解決しようとする課題】
【０００７】
本発明は、上述の事情を背景に為されたものであって、その解決課題は、ブラケットが箱体の上方に設けられた電気接続箱において、ブラケットを伝わる水による箱体の被水をより有効に防止することの出来る、新規な構造の電気接続箱を提供することにある。
【課題を解決するための手段】
【０００８】
本発明の第一の態様は、箱体の上方に設けられたブラケットを介して該箱体が車体パネルに固定される電気接続箱において、前記ブラケットには、前記車体パネルへの取付部が上方に延出して設けられていると共に、該取付部の基端部分には、四方が壁部で囲まれて鉛直上方に開口された捕水凹所が設けられており、前記壁部のうち前記車体パネル側に位置する後方壁部が上方に延出されることで前記取付部が形成されていると共に、前記後方壁部には排水孔が貫設されている一方、前記ブラケットにおける前記車体パネル側の面には、前記捕水凹所の底面と連続して前記排水孔から前記車体パネル側に突出すると共に、前記箱体よりも前記車体パネル側に突出位置された庇部が設けられていることを、特徴とする。
【０００９】
本発明においては、ブラケットにおける車体パネルへの取付部の基端部に、捕水凹所が形成されていると共に、捕水凹所の車体パネル側の壁部によって取付部が形成されている。これにより、車体パネルから取付部に伝わった水を、捕水凹所で捕捉することが出来る。そして、捕水凹所で捕捉された水を排水孔を通じて排出することにより、車体パネルの水がブラケットを通じて箱体に伝わることを防止することが出来る。
【００１０】
さらに、排水孔に庇部が設けられていることから、排水孔から排出された水の落下位置を、箱体から更に遠ざけることが出来る。これにより、排水孔から排出されて落下する水が箱体にかかるおそれを軽減することが出来る。
【００１１】
加えて、排水孔が車体パネル側に開口されていると共に、庇部が車体パネル側に突出されている。これにより、ブラケットを伝わる水が箱体と反対側の車体パネル側に排出されるようになっており、箱体の被水をより効果的に防止することが出来ると共に、排出した水を車体パネルに伝わらせることも出来て、排出された水が空中を飛散して箱体にかかるおそれも軽減することが出来る。
【００１２】
本発明の第二の態様は、前記第一の態様に記載のものにおいて、前記捕水凹所における前記後方壁部と前記底面とを連結する補強リブが、前記排水孔上に設けられているものである。
【００１３】
本態様によれば、排水孔の形成部分に補強リブが設けられていることから、ブラケットとしての剛性を損なうことなく、排水孔を形成することが出来る。
【００１４】
本発明の第三の態様は、前記第一又は第二の態様に記載のものにおいて、前記捕水凹所の前記壁部を用いてクランプ取付部が形成されているものである。
【００１５】
ワイヤハーネスを保持するクランプは、電気接続箱や車体パネル等に差し込んで固定される。それ故、クランプ取付部には、クランプの差込部を差込可能とする深さ寸法が必要とされる。そこで、捕水凹所の壁部の高さを利用してクランプの差込部の差込深さを確保することで、クランプ取付部をブラケットにスペース効率良く形成することが出来る。
【００１６】
本発明の第四の態様は、前記第一〜第三の何れか１つの態様に記載のものにおいて、前記庇部の幅方向の両端縁部には、該庇部の突出方向の全長に亘る飛散防止壁が設けられているものである。
【００１７】
本態様によれば、飛散防止壁によって、庇部を伝わる水が庇部の幅方向で排出されることを防ぐことが出来る。これにより、排水孔から排出された水を庇部の突出先端縁部まで確実に伝わらせることが出来て、車体パネル側に確実に排出することが出来る。
【００１８】
本発明の第五の態様は、前記第一〜第四の何れか１つの態様に記載のものにおいて、前記捕水凹所の前記壁部のうち、前記後方壁部と連結する一対の側壁部が、前記取付部の上端縁部まで延出されているものである。
【００１９】
本態様によれば、水が取付部の上端縁部に伝わった時点から、一対の側壁部で取付部の外に伝わることを防止して、捕水凹所に案内することが出来る。これにより、ブラケットに伝わった水を捕水凹所でより確実に捕捉することが出来る。
【００２０】
本発明の第六の態様は、前記第一〜第五の何れか１つの態様に記載のものにおいて、前記箱体における前記車体パネル側の面には、該箱体からの突出寸法が相対的に小さい低背部品が装着される低背部品装着部と、該箱体からの突出寸法が相対的に大きい高背部品が装着される高背部品装着部とが形成されており、前記庇部が、前記車体パネルへの取付状態で少なくとも前記高背部品装着部の鉛直上方から外れた位置に設けられているものである。
【００２１】
本態様によれば、庇部から落下する水が、箱体に装着された電気部品にかかるおそれを軽減することが出来る。これにより、箱体が被水するおそれをより軽減することが出来る。なお、低背部品および高背部品は、箱体に装着される各種の電気部品を言い、例えばリレーやヒューズ、コネクタ等が挙げられる。
【発明の効果】
【００２２】
本発明においては、箱体の上方に配設されるブラケットの車体パネルへの取付部の基端部に、四方が壁部で囲まれた捕水凹所を設けた。これにより、車体パネルから取付部に伝わった水を、捕水凹所で捕捉して飛散を防止することで、箱体の被水を防止することが出来る。そして、捕水凹所における車体パネル側の後方壁部に排水孔を設けて、捕水凹所で捕捉した水を箱体と反対の車体パネル側に排出すると共に、排水孔に庇部を設けて、水の排出位置を箱体から更に車体パネル側に遠ざけることにより、箱体の被水をより効果的に防止することが出来る。
【図面の簡単な説明】
【００２３】
【図１】本発明の一実施形態としての電気接続箱の平面図。
【図２】図１におけるＩＩ−ＩＩ断面図。
【図３】図１に示した電気接続箱の、車体パネルと反対側の要部拡大図。
【図４】図１に示した電気接続箱の、車体パネル側の要部拡大図。
【発明を実施するための形態】
【００２４】
以下、本発明の実施形態について、図面を参照しつつ説明する。
【００２５】
先ず、図１および図２に、本発明の一実施形態としての電気接続箱１０を示す。以下の説明において、上下方向とは、電気接続箱１０の車体への取付状態で鉛直上下方向となる、図１中の上下方向を言うものとする。電気接続箱１０は、箱体１２の上方に請求項のブラケットとしての上方ブラケット１４が取り付けられると共に、箱体１２の下方に下方ブラケット１６が取り付けられた構造とされている。図２に示すように、電気接続箱１０は、自動車のエンジンルームと車室の間に位置する車体パネルＰ（図２には、上方ブラケット１４が固定される車体パネルのみ図示）に上方ブラケット１４と下方ブラケット１６を介して固定されるようになっており、車体パネルＰの車室側（図２中、右側）に取り付けられるようになっている。
【００２６】
箱体１２は略矩形の箱体形状とされている。図１に示すように、箱体１２において、車体への取付状態で車体パネルＰ側の面１８には、複数の低背部品装着部としての小型リレー装着部２０、高背部品装着部としての大型リレー装着部２２、複数のコネクタ装着部２４が設けられている。図２に示すように、小型リレー装着部２０には低背部品としての小型リレー２６が装着される一方、大型リレー装着部２２には、高背部品としての大型リレー２８が装着される。大型リレー２８は小型リレー２６に比して大型であり、大型リレー装着部２２への装着状態において、小型リレー装着部２０に装着された小型リレー２６よりも車体パネルＰ側に突出されている。また、詳細な図示は省略するが、箱体１２において、車体パネルＰと反対側の面３０には、複数のコネクタ装着部３２やヒューズ装着部３４等が設けられている。
【００２７】
箱体１２の上方には、上方ブラケット１４が取り付けられる。上方ブラケット１４は、箱体１２と別体形成された合成樹脂からなる一体成形品とされている。図３および図４に示すように、上方ブラケット１４には、上方に延出する取付部３６が設けられている。取付部３６は上端部において車体パネルＰ側に突出位置されており、取付部３６の上端部には、ボルト挿通孔３８が貫設されている。
【００２８】
上方ブラケット１４において、取付部３６の基端部分には、捕水凹所４０が形成されている。捕水凹所４０は、車体パネルＰ側に位置する後方壁部４２、後方壁部４２と対向する前方壁部４４、および後方壁部４２と前方壁部４４とに連結された一対の側壁部４６，４８の、上方に突出する４つの壁部で４方が囲まれた、上方に開口する有底の凹形状とされている。そして、後方壁部４２が上方に延出されることによって、取付部３６が形成されている。
【００２９】
後方壁部４２には、排水孔５０が貫設されている。排水孔５０は、後方壁部４２における捕水凹所４０の底面５２側の端部に形成されている。これにより、捕水凹所４０は、排水孔５０を通じて、上方ブラケット１４の車体パネルＰ側の面５４に開口されている。図３等から明らかなように、特に本実施形態の排水孔５０は、水平方向（図１中の左右方向）で捕水凹所４０の中央から偏倚して形成されており、箱体１２の大型リレー装着部２２の鉛直上方（図１中、上方）から外れた位置に形成されている。
【００３０】
排水孔５０の面５４側には、面５４から車体パネルＰ側に突出する庇部５６が形成されている。図２に示すように、庇部５６は、捕水凹所４０の底面５２と連続して、面５４から車体パネルＰ側に突出するに連れて下方に傾斜するスロープ形状とされている。庇部５６の車体パネルＰ側の突出先端縁部５８は、箱体１２よりも車体パネルＰ側に突出位置されており、箱体１２の大型リレー装着部２２に装着された大型リレー２８よりも車体パネルＰ側に突出位置されている。また、前述のように、排水孔５０が大型リレー装着部２２の鉛直上方から外れた位置に形成されていることから、庇部５６は、大型リレー装着部２２の鉛直上方から外れた位置に形成されている。
【００３１】
さらに、庇部５６の幅方向（図１中、左右方向）の両端縁部には、一対の飛散防止壁６０，６０が形成されている。飛散防止壁６０，６０は、庇部５６の上方に突出して、庇部５６の面５４からの突出方向の全長に亘って形成されている。また、本実施形態の飛散防止壁６０，６０は、庇部５６の下方にも突出されている。これにより、庇部５６は、飛散防止壁６０，６０を含んで略Ｈ字形状断面を有しており、強度が確保されている。
【００３２】
また、捕水凹所４０の後方壁部４２には、底面５２と連結する補強リブ６２が形成されている。補強リブ６２は、後方壁部４２における排水孔５０の上方から捕水凹所４０の内側に突出されて底面５２と連結されており、排水孔５０の開口上に形成されている。
【００３３】
さらに、捕水凹所４０の前方壁部４４には、クランプ取付部６４が形成されている。クランプ取付部６４は、前方壁部４４が捕水凹所４０の内側に矩形ブロック形状をもって突出されることにより形成されている。これにより、前方壁部４４には、上方ブラケット１４の外側に開口する矩形の収容空所６６が形成されている。また、クランプ取付部６４の上板部６８には、クランプ差込孔７０が貫設されている。なお、図２から明らかなように、前方壁部４４の上端縁部７２は、上板部６８よりも僅かに上方に突出されており、上板部６８にかかった水が捕水凹所４０外に流出することが防止されている。
【００３４】
特に本実施形態においては、補強リブ６２が前方壁部４４側に延び出されて、クランプ取付部６４と連結されている。これにより、捕水凹所４０が、補強リブ６２とクランプ取付部６４で仕切られて、２つの区分凹所７４ａ，７４ｂに分割されている。そして、補強リブ６２が排水孔５０上に設けられて、区分凹所７４ａ，７４ｂが同一の排水孔５０を用いることにより、各区分凹所７４ａ，７４ｂに個別に排水孔を貫設することを不要として、上方ブラケット１４の強度が確保されている。
【００３５】
また、捕水凹所４０の側壁部４６，４８は上方に延出されて、取付部３６の上端縁部７６まで延出されている。これにより、取付部３６の幅方向（図１中、左右方向）の両端縁部には、上端縁部７６から捕水凹所４０に至る全長に亘って、側壁部４６，４８が形成されている。
【００３６】
このような構造とされた上方ブラケット１４は、下端部に設けられたスライドロック７８によって箱体１２に連結される。これにより、上方ブラケット１４が箱体１２の上方に設けられて、取付部３６が箱体１２の上方に突出されている。
【００３７】
一方、下方ブラケット１６は、合成樹脂からなる一体成形品とされている。下方ブラケット１６にはボルト挿通孔８０が貫設されている。下方ブラケット１６は、上方ブラケット１４と略同様に、上端部に設けられたスライドロック８２によって箱体１２に連結されて、箱体１２の下方に設けられる。
【００３８】
このような構造とされた電気接続箱１０は、図２に示したように、車体パネルＰの車室側に重ね合わされて、上方ブラケット１４の取付部３６に設けられたボルト挿通孔３８と、下方ブラケット１６に設けられたボルト挿通孔８０に図示しないボルトが挿通されて車体パネルＰに螺着されることにより、箱体１２が上方ブラケット１４と下方ブラケット１６を介して車体パネルＰに固定される。車体パネルＰへの取付状態において、電気接続箱１０は、上方ブラケット１４が鉛直上方、下方ブラケット１６が鉛直下方に位置されるようになっており、上方ブラケット１４に設けられた捕水凹所４０が鉛直上方に開口されるようになっている。また、捕水凹所４０に設けられた排水孔５０が車体パネルＰ側に開口されると共に、庇部５６が車体パネルＰ側に突出されるようになっている。なお、取付部３６は、上端縁部７６から下方に行くに連れて車体パネルＰから離隔するように形成されており、上方ブラケット１４は、取付部３６においてボルト挿通孔３８が形成された上端部分のみが車体パネルＰに接触されており、箱体１２は、車体パネルＰに対して非接触状態に離隔して配設されている。また、庇部５６の突出先端縁部５８は、車体パネルＰに対して僅かな隙間を隔てて位置されている。
【００３９】
なお、上方ブラケット１４のクランプ取付部６４には、ワイヤハーネスＷ／Ｈを保持したクランプ８４の差込部８６が、クランプ差込孔７０を通じて収容空所６６内に差し込まれて、上板部６８で係止されるようになっている。これにより、上方ブラケット１４にワイヤハーネスＷ／Ｈを固定することが可能とされている。
【００４０】
本実施形態に従う構造とされた電気接続箱１０においては、降雨や高圧洗浄等により車体内に水が浸入して、車体パネルＰが被水した場合には、図２に矢印で示すように、車体パネルＰを伝わる水が、先ず、車体パネルＰに接触されている取付部３６の上端縁部７６に伝わる。取付部３６に伝わった水は、取付部３６の幅方向の両端縁部が側壁部４６，４８で囲まれていることから、取付部３６から飛散することなく、取付部３６を下方に伝わって捕水凹所４０に捕捉される。そして、捕水凹所４０に捕捉された水は、排水孔５０を通じて、上方ブラケット１４から車体パネルＰ側に排出される。このように、本実施形態によれば、上方ブラケット１４に伝わった水を捕水凹所４０で捕捉することにより、箱体１２に伝わることを防止することが出来、箱体１２の被水を防止することが出来る。
【００４１】
さらに、排水孔５０には、庇部５６が設けられている。これにより、排水孔５０から排出された水の落下位置を、箱体１２から遠ざけることが出来、箱体１２の被水を効果的に防止することが出来る。特に本実施形態においては、庇部５６の形成位置が、箱体１２からの突出寸法の大きい大型リレー２８の鉛直上方から外されていることから、庇部５６から落下した水が箱体１２に装着された大型リレー２８等の電気部品にかかることをより有効に防止することが出来る。更に、庇部５６の幅方向両側に飛散防止壁６０，６０が設けられていることから、排水孔５０から排出された水を庇部５６の突出先端縁部５８までより確実に伝わらせることが出来て、庇部５６からの水の落下位置を、箱体１２からより確実に遠ざけることが出来ると共に、水を車体パネルＰ側により確実に排出することが出来る。
【００４２】
加えて、排水孔５０と庇部５６が、車体パネルＰに向けて設けられている。これにより、排水孔５０から排出された水を車体パネルＰに伝わらせることも可能となり、庇部５６から落下した水が空中を飛散することで再び箱体１２にかかるおそれも軽減することが出来る。
【００４３】
また、捕水凹所４０の前方壁部４４に、クランプ取付部６４が形成されている。クランプ取付部６４は、クランプ８４の差込部８６を収容する収容空所６６の高さ寸法を確保する必要がある。そこで、前方壁部４４の高さ寸法を巧く利用することにより、クランプ取付部６４を捕水凹所４０内にスペース効率良く形成することが出来る。
【００４４】
さらに、排水孔５０上には、補強リブ６２が形成されている。これにより、上方ブラケット１４における排水孔５０の形成部分の強度が確保されている。特に、補強リブ６２をクランプ取付部６４と連結して後方壁部４２と前方壁部４４とを連結することで上方ブラケット１４の強度がより高度に確保されている。加えて、補強リブ６２をクランプ取付部６４と連結することで捕水凹所４０が２つの区分凹所７４ａ，７４ｂに分割されているが、補強リブ６２を排水孔５０上に設けたことによって、２つの区分凹所７４ａ，７４ｂで１つの排水孔５０を共有することが可能とされており、２つの区分凹所７４ａ，７４ｂのそれぞれに排水孔を貫設することを不要として、上方ブラケット１４の強度を確保することが出来る。
【００４５】
以上、本発明の実施形態について詳述したが、本発明はその具体的な記載によって限定されない。例えば、ブラケットに設けられる取付部および捕水凹所の数は限定されず、複数の取付部と捕水凹所を設けても良い。また、取付部の車体パネルへの取付態様がボルト固定に限定されないのは勿論であって、例えば車体パネルに差し込んで固定されるもの等でも良い。加えて、ブラケットは、箱体に一体形成されていても良い。
【００４６】
また、クランプ取付部は、捕水凹所の壁部の何れに設けることも可能であり、例えば、前記実施形態における捕水凹所４０の側壁部４６，４８や後方壁部４２に設けることも可能である。但し、クランプ取付部は必ずしも必要ではない。加えて、補強リブについても必ずしも必要なものではないが、補強リブは、前記実施形態のように捕水凹所の後方壁部から対向する壁部にまで延び出されている必要は無く、例えば前記実施形態における補強リブ６２をクランプ取付部６４まで延び出すことなく、捕水凹所４０を２つの区分凹所７４ａ，７４ｂに分割しないように形成することも勿論可能である。
【００４７】
更にまた、前記実施形態で示した電気接続箱１０は、エンジンルームと車室とを仕切る車体パネルＰの車室側に設けられていたが、本発明の電気接続箱は、例えばエンジンルーム内等、車室外に設けられるものでも良い。
【符号の説明】
【００４８】
１０：電気接続箱、１２：箱体、１４：上方ブラケット、１６：下方ブラケット、１８：面（車体パネル側の面）、２０：小型リレー装着部（低背部品装着部）、２２：大型リレー装着部（高背部品装着部）、２６：小型リレー（低背部品）、２８：大型リレー（高背部品）、３６：取付部、４０：捕水凹所、４２：後方壁部、４４：前方壁部、４６：側壁部、４８：側壁部、５０：排水孔、５２：底面、５４：面（ブラケットの車体パネル側の面）、５６：庇部、５８：突出先端縁部、６０：飛散防止壁、６２：補強リブ、６４：クランプ取付部、７６：上端縁部（取付部）、８４：クランプ
【図１】
2014171302.tif 000003
【図２】
2014171302.tif 000004
【図３】
2014171302.tif 000005
【図４】
2014171302.tif 000006